(57)【要約】【課題】  ＥＶＦパネル表面に付着するダストやＥＶＦパネル表面のキズを低減し、画質の劣化を抑制することができる液晶表示装置を提供する。【解決手段】  ＥＶＦパネル２と、ＥＶＦパネルへの入射光及びＥＶＦパネルからの出射光の光路上に配置されたプラスチック基板３に貼り合わせた偏光板４と、ＥＶＦパネルへの入射光及びＥＶＦパネルからの出射光の光路領域に開口部１１が形成された筺体上部５と、筺体上部と係合する筺体下部６及びフレキ基板押さえ部７を備える液晶表示装置であって、偏光板を開口部を閉塞する様に配置し、ＥＶＦパネルを筺体下部、筺体上部、偏光板、フレキ基板押さえ部により形成された略密閉空間内に偏光板と離間して配置する。【選択図】    図１
2005208492.tif 000002
【特許請求の範囲】
【請求項１】
液晶パネルと、
該液晶パネルへの入射光及び該液晶パネルからの出射光の光路上に配置された偏光板と、
前記液晶パネルへの入射光及び前記液晶パネルからの出射光の光路領域に開口部が形成された筺体を備える液晶表示装置であって、
前記偏光板は、前記開口部を閉塞する様に配置され、
前記液晶パネルは、前記筺体及び前記偏光板により形成された略密閉空間内に前記偏光板と離間して配置された
ことを特徴とする液晶表示装置。
【請求項２】
前記液晶パネルを保持して、同液晶パネルを前記略密閉空間内に前記偏光板と離間して配置する液晶パネル保持部は、同液晶パネルの周辺領域への入射光を遮光する
ことを特徴とする請求項１に記載の液晶表示装置。
【請求項３】
液晶パネルと、該液晶パネルへの入射光及び該液晶パネルからの出射光の光路上に配置された偏光板と、前記液晶パネルへの入射光及び前記液晶パネルからの出射光の光路領域に開口部が形成された筺体を有する液晶表示装置を備えるビデオカメラであって、
前記偏光板は、前記開口部を閉塞する様に配置され、
前記液晶パネルは、前記筺体及び前記偏光板により形成された略密閉空間内に前記偏光板と離間して配置された
ことを特徴とするビデオカメラ。
【発明の詳細な説明】
【技術分野】
【０００１】
本発明は液晶表示装置及びビデオカメラに関する。詳しくは、液晶パネルを略密閉空間内に偏光板と離間して配置することによって、画質の劣化を抑制しようとした液晶表示装置及びビデオカメラに係るものである。
【背景技術】
【０００２】
近年、デジタルカメラやビデオカメラ等の映像系ＡＶ機器は、小型化、低価格化、高画素化が進み目覚しい普及をしている。
ここで、映像系ＡＶ機器のビューファインダーに搭載されるＥＶＦ（Electronic View Finder）パネル１００は、図４で示す様に、複数の画素がマトリックス形状に配置されたＴＦＴ基板１０５と、ＴＦＴ基板と液晶（図示せず）を挟んで対向させた対向基板１０６から構成されており、ＴＦＴ基板と対向基板の間に電圧を印加して液晶物質の複屈折特性に基づいて光透過率を制御することによって画像表示を行っている。
【０００３】
なお、従来のＥＶＦパネルは、図４で示す様に、ＴＦＴ基板及び対向基板の表面に直接偏光板１０４が貼り合わせられており（例えば、特許文献1参照。）、ＥＶＦパネルの背面に配置されたバックライト１０２から光を照射して得られた画像をＥＶＦパネルの前面に配置された拡大レンズ系１０３で拡大して所望の画像を得ている。
【０００４】
【特許文献１】特開２０００−３５２７２７号公報
【発明の開示】
【発明が解決しようとする課題】
【０００５】
ところで、近年のデジタルカメラやビデオカメラ等の映像系のＡＶ機器の小型化、低価格化に伴い、半導体をはじめとして使用される部品にも小型化、低価格化の要求が強まっており、デジタルカメラやビデオカメラ等のビューファインダーに搭載されているＥＶＦパネルも小型化が進んでいる。
【０００６】
ここで、上記した様にＥＶＦパネルの小型化が進むと、これに伴って、拡大レンズ系による拡大率が増大し、これまで以上にＥＶＦパネル表面に付着したダストやパネル表面のキズが拡大されて視認されやすくなるために、製造上の厳しい管理が必要となってきている。
【０００７】
また、上記した様に、従来のＥＶＦパネルではＴＦＴ基板及び対向基板に直接偏光板が貼り合わせられているが、ＴＦＴ基板や対向基板の厚みが約１ｍｍ程度であることや拡大レンズ系による拡大率が増大している現状を考慮すると、ＴＦＴ基板及び対向基板と偏光板を接着する際にＴＦＴ基板と偏光板の界面や対向基板と偏光板の界面に付着したゴミが拡大レンズ系の焦点内に入ってしまうことによるＥＶＦパネルの画質劣化が懸念される。
【０００８】
また、偏光板そのものについても、例えば、図５で示す様に、粘着材１１５の上層にＴＡＣ（トリアセチルセルロース）から成る保護層１１６、保護層の上層にＰＶＡ（ポリビニルアルコール）から成る偏光子１１７、偏光子の上層にＴＡＣから成る保護層、保護層の上層にハードコート１１８といった多層構造であり、偏光板を製造する際にこれらの層間や保護膜中に異物が入り込むことによる偏光板の内部の欠陥によってＥＶＦパネルの画質が劣化することも考えられる。
【０００９】
また、デジタルカメラやビデオカメラ等のビューファインダー部分の組み立て工程は、ＥＶＦパネルの製造を行う半導体製造工程と比較すると、それほどクリーン度の高くない環境下で行われており、組み立て工程におけるダストがＥＶＦパネルの画質に影響を及ぼすことも考えられる。
【００１０】
また、デジタルカメラやビデオカメラの目覚しい普及により、旅行、運動会、学芸会といった様々な環境でデジタルカメラやビデオカメラが使用される様になってきており、製造及び販売までは付着していなかった微細なダストが、ユーザーの使用中にデジタルカメラやビデオカメラの機器内に進入し、ＥＶＦパネルの画質に影響を及ぼすことも考えられる。
【００１１】
本発明は以上の点に鑑みて創案されたものであって、液晶パネル表面に付着するダストや液晶パネル表面のキズを低減し、画質の劣化を抑制することができる液晶表示装置及びビデオカメラを提供することを目的とするものである。
【課題を解決するための手段】
【００１２】
上記の目的を達成するために、本発明に係る液晶表示装置では、液晶パネルと、該液晶パネルへの入射光及び該液晶パネルからの出射光の光路上に配置された偏光板と、前記液晶パネルへの入射光及び前記液晶パネルからの出射光の光路領域に開口部が形成された筺体を備える液晶表示装置であって、前記偏光板は、前記開口部を閉塞する様に配置し、前記液晶パネルは、前記筺体及び前記偏光板により形成された略密閉空間内に前記偏光板と離間して配置している。
【００１３】
また、上記の目的を達成するために、本発明に係るビデオカメラは、液晶パネルと、該液晶パネルへの入射光及び該液晶パネルからの出射光の光路上に配置された偏光板と、前記液晶パネルへの入射光及び前記液晶パネルからの出射光の光路領域に開口部が形成された筺体を有する液晶表示装置を備えるビデオカメラであって、前記偏光板は、前記開口部を閉塞する様に配置され、前記液晶パネルは、前記筺体及び前記偏光板により形成された略密閉空間内に前記偏光板と離間して配置している。
【００１４】
ここで、筺体及び偏光板により略密閉空間が形成されることによって、外部からのゴミの侵入を抑制することができ、略密閉空間内に保持される液晶パネル表面へのゴミ付着を低減することができる。
なお、ここでの略密閉空間は外気を完全に遮断するといった厳密な意味合いでの密閉状態では無く、外部からのゴミの侵入をある程度抑制することができる程度の密閉状態であれば充分である。
【００１５】
また、液晶パネルを偏光板と離間して保持することによって、液晶パネルと偏光板の界面にゴミが付着することが無く、更に、偏光板の内部の欠陥についてはデフォーカス効果により視認され難くなる。
【００１６】
ここで、液晶パネルを保持して、液晶パネルを略密閉空間内に偏光板と離間して配置する液晶パネル保持部が、液晶パネルの周辺領域への入射光を遮光する方が好ましい。これにより、液晶パネルの周辺領域への入射光を遮光するための見切り板を別途設ける必要が無くなり、液晶表示装置の部品点数を削減することができるからである。
【発明の効果】
【００１７】
上記した本発明の液晶表示装置及びビデオカメラでは、液晶パネルが略密閉空間内に配置されているために、液晶表示装置を搭載するデジタルカメラやビデオカメラ等（以下、製品と言う）の組み立て時、製品の物流時、製品の使用時に発生する異物の液晶パネル表面への付着を抑制でき、液晶パネルの品質向上を図ることができる。
【００１８】
また、組み立て時に発生する異物の液晶パネル表面への付着を抑制することができるために、組み立て工程における液晶パネル表面のゴミのふき取り作業を簡易化することができる。
【００１９】
更に、液晶パネルが略密閉空間内に保持されているために、デジタルカメラやビデオカメラの組み立て時に、誤ってキズを生じてしまうこともなくなり、液晶パネル表面のキズの低減により液晶パネルの品質向上を図ることができる。
【００２０】
また、液晶パネルが略密閉空間内に配置されているために、セット組み立て時の応力等の様々な外的応力から液晶パネルを保護することができ、液晶パネルの長寿命化を実現することができる。
【００２１】
また、液晶パネルを偏光板と離間して配置することによって、液晶パネルと偏光板の界面にゴミが付着することが無く、液晶パネルの品質向上を図ることができる。
【００２２】
更に、液晶パネルを偏光板と離間して配置することによって、偏光板の製造の際に生じる偏光板内部の欠陥についても、デフォーカス効果によりその影響を低減でき、液晶パネルの品質向上を図ることができる。
【００２３】
また、液晶パネルと偏光板を直接貼り合わせていないために、製品廃棄時の産業廃棄物の分別が容易であると共に、リユース、リサイクルを容易に行うことができる。
【発明を実施するための最良の形態】
【００２４】
以下、本発明の実施の形態について図面を参照しながら説明し、本発明の理解に供する。
図1は本発明を適用した液晶表示装置を説明するための模式的な分解斜視図、図２は本発明を適用した液晶表示装置の筺体下部を説明するための模式的な斜視図であり、ここで示す液晶表示装置１は、ＥＶＦパネル２、プラスチップ基板３に貼り合わせられた偏光板４、筺体上部５、筺体下部６及びフレキ基板押さえ部７を備え、筺体下部、筺体上部、プラスチック基板に貼り合わせられた偏光板及びフレキ基板押さえ部によって構成された箱型形状の略密閉空間にＥＶＦパネルが偏光板と離間して配置されている。
【００２５】
ここで、ＥＶＦパネルは、シール剤によって所定の間隙を介して重ね合わせられたＴＦＴ基板８及び対向基板９と、これらＴＦＴ基板及び対向基板の間隙内に保持された液晶（図示せず）を備えている。また、ＴＦＴ基板には外部と電気的に接続を行うためのフレキ基板１０が接続されている。
【００２６】
なお、上記したＴＦＴ基板は、画素開口部、ＴＦＴ素子、配線等を形成する有効領域である表示領域と、表示領域以外の全ての領域であり、周辺回路領域とシール領域及びその外側領域に対応する周辺領域を有し、表示領域には多数の画素がマトリックス形状に設けられており、互いに隣り合う画素の間には、行方向に沿って配列されたスキャンラインや列方向に沿って配列されたデータラインといった信号線が設けられ、これらスキャンラインとデータラインとが交差する付近に薄膜トランジスタ（ＴＦＴ）等からなる液晶駆動用のスイッチング素子が形成されている。
【００２７】
ここで、偏光板は必ずしもプラスチック基板に貼り合わせられている必要は無いが、偏光板とプラスチック基板を貼り合わせ、プラスチック基板が外側となる様に後述する偏光板挿入部に挿入することによって、プラスチック基板により偏光板を保護することができるために、偏光板にはプラスチック基板が貼り合わせられている方が好ましい。
【００２８】
また、筺体下部は、底板及び側板から構成され、ＥＶＦパネルへの入射光及びＥＶＦパネルからの出射光の光路領域に開口部１１が形成されている。また、底板と側板の内側にＥＶＦパネルの厚さと略等しい間隔を介した凸部によって構成されたＥＶＦパネル挿入部１２が形成されており、同様に、底板と側板の内側にプラスチック基板に貼り合わせた偏光板の厚さと略等しい間隔を介した凸部によって構成された偏光板挿入部１３がＥＶＦパネルへの光の入射側及びＥＶＦパネルからの光の出射側の両方に形成されている。
なお、偏光板挿入部は、プラスチック基板に貼り合わせた偏光板を挿入することによって、プラスチック基板が側板に形成された開口部を閉塞することができる様に、開口部が形成された側板に近接して形成されている。
また、底板に形成されたＥＶＦパネル挿入部を構成する凸部の間にはスリット１４が形成されている。
【００２９】
ところで、従来のＥＶＦパネルの様にＥＶＦパネル表面に直接偏光板を貼り合わせずに、ＥＶＦパネルと離間して偏光板を配置することから、従来のＥＶＦパネルと比較するとバックライトからＥＶＦパネルまでの距離が長くなってしまい、ＥＶＦパネルの光透過率の低下が懸念される。従って、本実施例では、ＥＶＦパネル挿入部と出射側の偏光板挿入部の距離よりもＥＶＦパネル挿入部と入射側の偏光板挿入部の距離の方が短くなる様な位置にＥＶＦパネル挿入部が形成されている。
【００３０】
また、筺体上部は、天板及び側板から構成されており、側板には筺体下部の側板の外側に形成された係合突起部１５と係合する係合穴部１６が形成されており、筺体上部の天面と筺体下部の底面が向かい合う様に両者を係合することができる様に構成されている。
ここで、天板には筺体下部に形成されたＥＶＦパネル挿入部に対応する位置に、ＥＶＦパネルの厚さと略等しい間隔を介した凸部によって構成されたＥＶＦパネル押さえ部１７が形成されており、同様に、筺体下部に形成された偏光板挿入部に対応する位置に、プラスチック基板に貼り合わせた偏光板の厚さと略等しい間隔を介した凸部によって構成された偏光板押さえ部１８が形成されている。
【００３１】
なお、筺体下部に形成されたＥＶＦパネル挿入部で充分にＥＶＦパネルを固定することができるのであれば、必ずしも筺体上部にはＥＶＦパネル押さえ部が形成される必要は無く、同様に、筺体下部に形成された偏光板挿入部で充分に偏光板を固定することができるのであれば、必ずしも筺体上部には偏光板押さえ部が形成される必要は無いが、より安定してＥＶＦパネルや偏光板を固定して、振動等によっても確実に動かない様にするために筺体上部にＥＶＦパネル押さえ部及び偏光板押さえ部が形成された方が好ましい。
【００３２】
更に、ＥＶＦパネル挿入部を構成する凸部及びＥＶＦパネル押さえ部を構成する凸部によって、ＥＶＦパネルの周辺領域への入射光が遮光できる様に構成されている。
ここで、ＥＶＦパネル挿入部及びＥＶＦパネル押さえ部は、筺体下部、筺体上部、プラスチック基板に貼り合わせられた偏光板及びフレキ基板押さえ部によって構成された箱型形状の略密閉空間内にＥＶＦパネルを偏光板と離間して保持することができれば充分であり、必ずしもＥＶＦパネル挿入部を構成する凸部及びＥＶＦパネル押さえ部を構成する凸部によってＥＶＦパネルの周辺領域への入射光を遮光する様に構成する必要は無い。但し、ＥＶＦパネル挿入部を構成する凸部及びＥＶＦ押さえ部を構成する凸部によってＥＶＦパネルの周辺領域への入射光を遮光することができれば、別途見切り板を取り付ける必要が無くなり、部品点数の削減を図ることができるために、ＥＶＦパネル挿入部を構成する凸部及びＥＶＦ押さえ部を構成する凸部によってＥＶＦパネルの周辺領域への入射光が遮光できる様に構成された方が好ましい。
【００３３】
また、フレキ基板押さえ部は、底板及び側板から構成されており、側板には筺体下部の側板の外部に形成された係合突起部と係合する係合穴部が形成されており、筺体下部の底板とフレキ基板押さえ部の底板が重なり合う様に両者を係合することができる様に構成されている。
なお、筺体上部、筺体下部及びプラスチック基板に貼り合わせられた偏光板によって略密閉状態である箱型形状を構成することができるために、必ずしもフレキ基板押さえ部と筺体下部を係合させる必要は無いとも考えられるが、筺体下部の底板にはフレキ基板を挿通するスリットが形成されており、このスリットを閉塞して、より密閉度合いを上げるためにフレキ基板押さえ部を筺体下部と係合させた方が好ましい。
【００３４】
なお、本実施例では、液晶パネルとしてＥＶＦパネルを例に挙げて説明を行っているが、プロジェクタ用パネル等であっても構わないのは勿論である。
【００３５】
以下、上記した液晶表示装置の組み立て方法について説明する。
上記した液晶表示装置を組み立てる際には、先ず、図３（ａ）で示す様に、筺体下部の底板に形成されたスリットにフレキ基板を挿通し、ＥＶＦパネル挿入部にＥＶＦパネルを挿入する。この際、ＥＶＦパネル挿入部を構成する凸部がＥＶＦパネルのガイドの役割を果たすために容易に挿入することができる。
【００３６】
次に、図３（ｂ）で示す様に、偏光板挿入部にプラスチック基板に貼り合わせられた偏光板を、プラスチック基板が外側となる様に挿入する。この際、偏光板挿入部を構成する凸部がプラスチック基板に貼り合わせられた偏光板のガイドの役割を果たすために容易に挿入することができる。
【００３７】
なお、ＥＶＦパネル挿入部にＥＶＦパネルが挿入され、偏光板挿入部にプラスチック基板に貼り合わせられた偏光板が挿入されれば充分であり、必ずしもＥＶＦパネルを挿入した後にプラスチック基板に貼り合わせられた偏光板を挿入する必要は無く、プラスチック基板に貼り合わせられた偏光板を挿入した後にＥＶＦパネルを挿入しても良い。
【００３８】
次に、図３（ｃ）で示す様に、筺体下部の側板に形成された係合突起部と筺体上部の側板に形成された係合穴部を係合させて、筺体上部の天板と筺体下部の底板が向かいあう様に筺体下部と筺体上部とを係合させる。
【００３９】
続いて、図３（ｄ）で示す様に、筺体下部の底板に形成されたスリットから突出したフレキ基板を入射側に９０度折り曲げた後、筺体下部の側板に形成された係合突起部とフレキ押さえ部に形成された係合穴部を係合させ、筺体下部の底板とフレキ押さえ部の底板が重なり合う様に筺体下部とフレキ押さえ部とを係合させることによって、図３（ｅ）で示す様な、箱型形状の液晶表示装置を得ることができる。
【００４０】
なお、上記の実施例では透過型のＥＶＦパネルを例に挙げて説明を行ったが、筺体下部、筺体上部、プラスチック基板に貼り合わせられた偏光板及びフレキ基板押さえ部によって構成された箱型形状の略密閉空間にＥＶＦパネルが偏光板と離間して配置されれば良く、反射型のＥＶＦパネルであっても構わない。
【００４１】
上記した本発明を適用した液晶表示装置では、筺体下部、筺体上部、プラスチック基板に貼り合わせられた偏光板及びフレキ基板押さえ部によって構成された箱型形状の略密閉空間にＥＶＦパネルを配置しているために、外部から略密閉空間内へのゴミの侵入を抑制することができるために、ＥＶＦパネル表面へのゴミ付着を低減することができる。
【００４２】
また、液晶表示装置が箱型形状に構成されているために、ビデオカメラやデジタルカメラに組み付けるセット組み立て時の作業効率の向上が期待できると共に、凹凸が少ない箱型形状であるので汎用性に富み、様々な製品に組み付けることが可能となる。
【００４３】
更に、ＥＶＦパネルを偏光板と離間して保持することによって、偏光板をＥＶＦパネルに直接貼り合わせていた際に生じていたＥＶＦパネルと偏光板の界面にゴミが付着するという問題が生じることが無く、また、偏光板の製造の際に生じる偏光板内部の欠陥についてもデフォーカス効果によりその影響を低減することができる。
【００４４】
また、ＥＶＦパネル挿入部を構成する凸部及びＥＶＦパネル押さえ部を構成する凸部に見切り板としての役割を付加することにより、ＥＶＦパネルと見切り板とのアライメント作業を行う必要がなくなり、作業効率の向上を図ることができる。
即ち、見切り板の取り付けに際しては、ＴＦＴ基板の周辺領域への入射光を遮光すべく、ＴＦＴ基板と見切り板とのアライメント作業が必要であったが、本発明では、単に、筺体下部に設けられたＥＶＦパネル挿入部にＥＶＦパネルを挿入した後に、筺体下部と筺体上部とを係合させるだけでＥＶＦパネル挿入部を構成する凸部及びＥＶＦパネル押さえ部を構成する凸部が見切り板として機能するために、アライメントの必要が無い。
【図面の簡単な説明】
【００４５】
【図１】本発明を適用した液晶表示装置を説明するための模式的な分解斜視図である。
【図２】本発明を適用した液晶表示装置の筺体下部を説明するための模式的な斜視図である。
【図３】本発明を適用した液晶表示装置の組み立て方法を説明するための模式図である。
【図４】従来のＥＶＦパネルを説明するための模式図である。
【図５】偏光板の構成を説明するための模式的な断面図である。
【符号の説明】
【００４６】
１    液晶表示装置
２    ＥＶＦパネル
３    プラスチック基板
４    偏光板
５    筺体上部
６    筺体下部
７    フレキ基板押さえ部
８    ＴＦＴ基板
９    対向基板
１０    フレキ基板
１１    開口部
１２    ＥＶＦパネル挿入部
１３    偏光板挿入部
１４    スリット
１５    係合突起部
１６    係合穴部
１７    ＥＶＦパネル押さえ部
１８    偏光板押さえ部
【図１】
2005208492.tif 000003
【図２】
2005208492.tif 000004
【図３】
2005208492.tif 000005
【図４】
2005208492.tif 000006
【図５】
2005208492.tif 000007